(57)【要約】【課題】通気性の低下が抑制される粉塵除去構造を提供する。【解決手段】粉塵所構造１００は、フレーム１０１，１０２と、フレーム１０１とフレーム１０２との間に配置された、正に帯電可能な複数の長手部材１１０，１１１，１１２，１１３，１１４，１１５，１１６，１１７，１１８，１１９，１２０，１２１，１２２と、負に帯電可能な複数の長手部材１３０，１３１，１３２，１３３，１３４，１３５，１３６，１３７，１３８，１３９，１４０，１４１とを備える。正に帯電可能な長手部材と負に帯電可能な長手部材とは、交互に配置されている。粉塵除去構造１００をパルプ材（たとえば、ティッシュペーパー）その他の拭き取り素材で摩擦すると、アクリル素材はプラスに帯電し、スチレン素材はマイナスに帯電する。【選択図】図１
2015037772.tif 000002
【特許請求の範囲】
【請求項１】
正に帯電する複数の第１長手部材と、
負に帯電する複数の第２長手部材とを備え、
各前記第１長手部材と各前記第２長手部材とは、平行に、交互に配置されている、粉塵除去構造。
【請求項２】
正に帯電する複数の第１長手部材と、
負に帯電する複数の第２長手部材とを備え、
前記複数の第１長手部材と前記複数の第２長手部材とは、網目状に交差している、粉塵除去構造。
【請求項３】
前記第１長手部材は、ナイロン、アクリル、ポリエチレンテレフタラート、ポリプロピレン、ウール、変性ポリエチレンテレフタラートのいずれかを含み、
前記第２長手部材は、ポリプロピレン、ポリスチレン、ポリ塩化ビニール、ポリエチレン、ウレタンのいずれかを含む、請求項１または２に記載の粉塵除去構造。
【請求項４】
前記複数の第１長手部材および前記複数の第２長手部材は、線状部材、棒状部材または板状部材を含む、請求項１〜３のいずれかに記載の粉塵除去構造。
【請求項５】
請求項１〜４のいずれかに記載の粉塵除去構造と、
当該粉塵除去構造をふき取るための疎水性の拭き取り素材とを備える、粉塵除去セット。
【請求項６】
前記疎水性の拭き取り素材は、パルプ、綿、ポリエステル、ナイロン、アクリル、ウレタン、羊毛、シルクまたは豚毛のいずれかを含む、請求項５に記載の粉塵除去セット。
【請求項７】
前記疎水性の拭き取り素材が表面に設けられた二つのロール部材をさらに備え、
前記粉塵除去構造は、ロール状に券回可能であり、かつ、前記二つのロール部材のそれぞれの回転によって引き出され、または、巻き戻されるように構成されている、請求項５または６に記載の粉塵除去セット。
【請求項８】
粉塵を除去するための方法であって、
正に帯電する複数の第１長手部材の各々と、負に帯電する複数の第２長手部材の各々とを平行に、交互に配置するステップと、
各前記第１長手部材を正に帯電させるステップと、
各前記第２長手部材を負に帯電させるステップとを含む、粉塵を除去するための方法。
【請求項９】
粉塵を除去するための方法であって、
正に帯電する複数の第１長手部材の各々と、負に帯電する複数の第２長手部材の各々とを、網目状に交互に配置するステップと、
各前記第１長手部材を正に帯電させるステップと、
各前記第２長手部材を負に帯電させるステップとを含む、粉塵を除去するための方法。
【請求項１０】
前記疎水性の拭き取り素材が表面に設けられた二つのロール部材を配置するステップをさらに備え、
各前記第１長手部材を正に帯電させるステップは、各前記第１長手部材を前記二つのロール部材の間に送るステップを含み、
各前記第２長手部材を負に帯電させるステップは、各前記第２長手部材を前記二つのロール部材の間に送るステップを含む、請求項８または９に記載の粉塵を除去するための方法。
【請求項１１】
各前記第１長手部材を正に帯電させるために送る方向とは逆の方向に各前記第１長手部材を送ることにより、各前記第１長手部材を除電するステップと、
各前記第２長手部材を負に帯電させるために送る方向とは逆の方向に各前記第２長手部材を送ることにより、各前記第２長手部材を除電するステップとをさらに含む、請求項１０に記載の粉塵を除去するための方法。
【請求項１２】
前記複数の第１長手部材および前記複数の第２長手部材は、線状部材、棒状部材または板状部材を含む、請求項８〜１１のいずれかに記載の粉塵を除去するための方法。
【発明の詳細な説明】
【技術分野】
【０００１】
本開示は、粉塵を除去する技術に関し、より特定的には、帯電体を用いて粉塵を除去する技術に関する。
【背景技術】
【０００２】
たとえば、特開２００９−２０９５１０号公報（特許文献１）は、「窓、網戸、障子等の住宅の開口部に貼る花粉除去シートとして、通気性および採光性を損なうことなく耐久性を向上させ、かつ、花粉を確実に除去できる花粉除去紙」を開示している。具体的には、「紙材の原料として、疎水性および感熱収縮性の合成繊維（ＰＥＴ繊維）とアパタイトを付着させた天然繊維（パルプ繊維）とバインダーとを混合し、機械漉きにより製紙することにより、アパタイト２を天然繊維１の表面に付着させた花粉除去紙とする。」というものである（［要約］参照）。
【先行技術文献】
【特許文献】
【０００３】
【特許文献１】特開２００９−２０９５１０号公報
【発明の概要】
【発明が解決しようとする課題】
【０００４】
花粉除去紙の通気性の確保のためには、花粉が付着した花粉除去紙の表面を拭う必要がある。しかしながら、特許文献１に開示された技術によると、表面を拭うことにより花粉その他の粒子がむしろ表面に形成されている窪みあるいは開口部にはまり込んでしまい、通気性が低下する恐れもある。
【０００５】
また、水洗いという方法も考えられるが、花粉除去紙の繊維質の乱れにより、花粉の除去能力の低下あるいは花粉除去紙自体の劣化の恐れもある。
【０００６】
したがって、通気性の低下が抑制される技術が必要とされている。また、花粉その他の粉塵の除去能力の低下あるいは耐久性の低下が防止される技術が必要とされている。
【０００７】
本開示は、上述のような問題点を解決するためになされたものであって、ある局面における目的は、通気性の低下が抑制される粉塵除去構造を提供することである。他の局面における目的は、耐久性あるいは粉塵の除去能力の低下が抑制される粉塵除去構造を提供することである。
【０００８】
他の局面における目的は、通気性の低下が抑制される粉塵除去セットを提供することである。他の局面における目的は、耐久性あるいは粉塵の除去能力の低下が抑制される粉塵除去構造を提供することである。
【０００９】
さらに他の局面における目的は、通気性の低下を抑制しつつ粉塵を除去するための方法を提供することである。他の局面における目的は、耐久性あるいは粉塵の除去能力の低下を抑制しつつ粉塵を除去する方法を提供することである。
【課題を解決するための手段】
【００１０】
一実施の形態に従う粉塵除去構造は、正に帯電する複数の第１長手部材と、負に帯電する複数の第２長手部材とを備える。各第１長手部材と各第２長手部材とは、平行に、交互に配置されている。
【００１１】
他の実施の形態に従う粉塵除去構造は、正に帯電する複数の第１長手部材と、負に帯電する複数の第２長手部材とを備える。複数の第１長手部材と複数の第２長手部材とは、網目状に交差している。
【００１２】
好ましくは、第１長手部材は、ナイロン、アクリル、ポリエチレンテレフタラート、ポリプロピレン、ウール、変性ポリエチレンテレフタラートのいずれかを含む。第２長手部材は、ポリプロピレン、ポリスチレン、ポリ塩化ビニール、ポリエチレン、ウレタンのいずれかを含む。
【００１３】
他の実施の形態に従うと、粉塵除去セットが提供される。この粉塵除去セットは、上記のいずれかに記載の粉塵除去構造と、当該粉塵除去構造をふき取るための疎水性の拭き取り素材とを備える。
【００１４】
好ましくは、疎水性の拭き取り素材は、パルプ、綿、ポリエステル、ナイロン、アクリル、ウレタン、羊毛、シルクまたは豚毛のいずれかを含む。
【００１５】
好ましくは、粉塵除去セットは、疎水性の拭き取り素材が表面に設けられた二つのロール部材をさらに備える。粉塵除去構造は、ロール状に券回可能であり、かつ、二つのロール部材のそれぞれの回転によって引き出され、または、巻き戻されるように構成されている。
【００１６】
他の実施の形態に従うと、粉塵を除去するための方法が提供される。この方法は、正に帯電する複数の第１長手部材の各々と、負に帯電する複数の第２長手部材の各々とを平行に、交互に配置するステップと、各第１長手部材を正に帯電させるステップと、各第２長手部材を負に帯電させるステップとを含む。
【００１７】
他の実施の形態に従うと、粉塵を除去するための方法が提供される。この方法は、正に帯電する複数の第１長手部材の各々と、負に帯電する複数の第２長手部材の各々とを、網目状に交互に配置するステップと、各第１長手部材を正に帯電させるステップと、各第２長手部材を負に帯電させるステップとを含む。
【００１８】
好ましくは、当該方法は、疎水性の拭き取り素材が表面に設けられた二つのロール部材を配置するステップをさらに備える。各第１長手部材を正に帯電させるステップは、各第１長手部材を二つのロール部材の間に送るステップを含む。各第２長手部材を負に帯電させるステップは、各第２長手部材を二つのロール部材の間に送るステップを含む。
【００１９】
好ましくは、当該方法は、各第１長手部材を正に帯電させるために送る方向とは逆の方向に各第１長手部材を送ることにより、各第１長手部材を除電するステップと、各第２長手部材を負に帯電させるために送る方向とは逆の方向に各第２長手部材を送ることにより、各第２長手部材を除電するステップとをさらに含む。
【００２０】
好ましくは、複数の第１長手部材および複数の第２長手部材は、線状部材、棒状部材または板状部材を含む。
【００２１】
この発明の上記および他の目的、特徴、局面および利点は、添付の図面と関連して理解されるこの発明に関する次の詳細な説明から明らかとなるであろう。
【図面の簡単な説明】
【００２２】
【図１】粉塵除去構造１００の概略を表す図である。
【図２】粉塵除去構造１００における電気力線のシミュレーションを表す図である。
【図３】帯電させた誘電体の電界に別の電荷が近付いた場合を表す図である。
【図４】粉塵除去機能を備えるマスク４００の外観を表す図である。
【図５】マスク４００がユーザに装着された状態を表す図である。
【図６】粒子の吸着を検証する装置６００の構成を表す図である。
【図７】粉塵計６３０の採気口６４０の前に実験用の簾６５０を置いた場合に得られたデータを表す図である。
【図８】粉塵計６３０の採気口６４０の前に実験用の簾６５０を置かない場合に得られたデータを表す図である。
【図９】簾６５０を採気口６４０の前に置いた場合に得られた結果（図７）の平均値を表す図である。
【図１０】簾６５０を採気口６４０の前に置かない場合に得られた結果（図８）の平均値を表す図である。
【図１１】図９および図１０に示されるグラフを重ねた図である。
【図１２】粉塵除去構造１２００の概観を表す図である。
【図１３】格子状に構成された粉塵除去構造１３００を表す図である。
【図１４】第４の実施の形態に係る粉塵除去構造１４００の概要を表す図である。
【発明を実施するための形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施の形態＞
［概要］
図１を参照して、第１の実施の形態に係る粉塵除去構造１００について説明する。図１は、粉塵除去構造１００の概略を表す図である。ある局面において、粉塵除去構造１００は、マスク、簾、シェイド（巻き上げ式カーテン）その他のフィルタとして実現される。
【００２５】
正面方向（Ａ）から明らかなように、粉塵除去構造１００は、フレーム１０１，１０２と、フレーム１０１とフレーム１０２との間に配置された、正に帯電可能な複数の長手部材１１０，１１１，１１２，１１３，１１４，１１５，１１６，１１７，１１８，１１９，１２０，１２１，１２２と、負に帯電可能な複数の長手部材１３０，１３１，１３２，１３３，１３４，１３５，１３６，１３７，１３８，１３９，１４０，１４１とを備える。正に帯電可能な長手部材と負に帯電可能な長手部材とは、交互に配置されている。
【００２６】
なお、本開示における長手部材とは、たとえば、線状部材、棒状部材または板状部材等を含む。板状部材とは、気流の進行方向が面状に構成されている部材ともいえる。
【００２７】
横方向（Ｂ）から明らかなように、ある局面において、フレーム１０１には複数の空孔が形成されている。各長手部材は、空孔にそれぞれ挿入されている。フレーム１０２でも同様に構成されている。
【００２８】
正に帯電可能な複数の長手部材１１０，１１１，１１２，１１３，１１４，１１５，１１６，１１７，１１８，１１９，１２０，１２１，１２２は、たとえば、アクリル素材である。負に帯電可能な複数の長手部材１３０，１３１，１３２，１３３，１３４，１３５，１３６，１３７，１３８，１３９，１４０，１４１は、たとえば、スチレン素材である。粉塵除去構造１００をパルプ材（たとえば、ティッシュペーパー）その他の拭き取り素材で摩擦すると、アクリル素材はプラスに帯電し、スチレン素材はマイナスに帯電する。
【００２９】
（微粒子の捕捉）
正負の電荷を誘電体（正または負に帯電可能な複数の長手部材）に高チャージさせるため、隙間を通過する帯電粒子はその帯電状態に係わらず必ず引き寄せられ、帯電している長手部材に付着する。このとき、各長手部材の間隔が大きく、かつ、空気の流れが速いと、帯電粒子は帯電している長手部材に引き寄せられるが、帯電粒子の軌道が変わる程度で大きな間隙をすり抜ける可能性がある。そこで、長手部材の間隔は、数ミリ以内が望ましい。
【００３０】
また、帯電している長手部材の近くに他の導体がある場合、正に帯電した長手部材と負に帯電した長手部材との距離が近いと電気力線は導体に逃げずに、長手部材間における正負の強い電界は保たれる。すなわち、粉塵除去構造１００を人体のような導体の近くで使用することを想定すると、粉塵除去構造１００を有するマスクを顔面から数ミリ離すだけで、粉塵の吸着効果は達成される。たとえば、粉塵除去構造１００のフレーム１０１，１０２を樹脂製のフレームとすることにより、顔面から長手部材が離れるような構成とすればよい。
【００３１】
正に帯電可能な長手部材は、上記のものに限られず、たとえば、ナイロン、アクリル、ポリエチレンテレフタラート、ポリプロピレン、ウール、変性ポリエチレンテレフタラートのいずれかであってもよい。
【００３２】
負に帯電可能な長手部材は、上記のものに限られず、たとえば、ポリプロピレン、ポリスチレン、ポリ塩化ビニール、ポリエチレン、ウレタンのいずれかであってもよい。
【００３３】
なお、素材は同じでもアクリルのように板状の材料とアクリル繊維では仕事関数の違いから電荷の移動が必ず生じる。両者を摩擦や接触させると、いずれも帯電する。同一素材であっても添加材の違いや形状に違いがある場合には、各素材は、摩擦や接触すると帯電する。
【００３４】
上記の帯電可能な長手部材のような素材と、拭き取り素材とを組み合わせた場合には、正負の帯電はほぼ得られるが、必ずしも同じ方向（正側，負側）に帯電するとは限らないため帯電状態を確認することが好ましい。一般的に市販されている素材を用いて疎水性の拭き取り素材で確認した結果、上記の正の帯電と負の帯電は、問題なく得られる。
【００３５】
拭き取り素材は、疎水性のものが好ましい。拭き取り素材は、上述のパルプ材に限られず、たとえば、綿布、ポリエステル布、ナイロン布、アクリル布、ウレタン、羊毛、シルクまたは豚毛等であってもよい。
【００３６】
より具体的には、拭き取り素材は、少し厚めの布で起毛タイプが好ましい。たとえば、起毛した布の厚さが１mm〜５mm程度であることが好ましい。
【００３７】
また、帯電可能な素材の面に対して拭き取り素材を出来るだけ多く摩擦させることが望ましい。たとえば、拭き取り素材と帯電可能な素材とが軽く擦れるだけでは、摩擦の有効面積が少なく摩擦圧が小さくなるため、帯電可能な素材は、高帯電しない可能性がある。起毛した素材は厚手の柔らかい素材は、帯電可能な素材からなる粉塵除去構造の形状になじみやすいため、摩擦の有効面積が大きくなり、また、摩擦圧を高くすることができる。そこで、上述のような拭き取り素材が望ましい。
【００３８】
また、拭き取り素材としては、粉塵除去構造の形状や素材の凸凹になじみやすい厚手の布又はブラシがより好ましい。材質に応じて異なるが、拭き取り素材は、帯電に必要な摩擦圧が粉塵除去構造に伝わる程度の厚みを有すればよい。
【００３９】
［技術思想］
図２および図３を参照して、本実施の形態に係る技術思想について説明する。図２は、粉塵除去構造１００における電気力線のシミュレーションを表す図である。
【００４０】
図２（Ａ）に示されるように、プラスとマイナスの電荷が近距離で交互にあると、電気力線は、外部にあまり影響を与えず、近距離にある逆帯電素材（正に帯電している長手部材と負に帯電している長手部材）との間に強い電界を生じる。その間を通過しようとする帯電粒子は、強い電界により引き寄せられ、さらに、帯電素材間の幅が狭いため、その間をすり抜けにくくなる。そして、粉塵除去構造１００から離れた場所にマイナスに帯電した電荷があったとしても、粉塵除去構造１００は、その電荷を引き寄せにくい。したがって、本実施の形態に係る粉塵除去構造１００は、各長手部材の間を通過しようとする粒子捕捉能力が高い構造といえる。
【００４１】
なお、図２（Ｂ）に示されるように、一種類の電荷が存在している場合（たとえば、プラスの極性の場合）、電気力線は、電荷の周辺まで伸びやすくなる。そのため、電気力線は、離れた場所に存在している負の帯電粒子にも影響を及ぼし、不要なもの（長手部材間を通過するはずのないもの、除去する必要がないもの）を引き寄せることになる。
【００４２】
図３は、帯電させた誘電体の電界に別の電荷が近付いた場合を表す図である。
図３（Ａ）を参照して、ある局面において、長手部材は正に帯電している。このとき、仮想位置３００における電気力線の数は１５である。
【００４３】
図３（Ｂ）を参照して、正に帯電している長手部材に対して、他の電荷（たとえば、人体のようなグランド、または金属体）が近付くと、電気力線の数が少なくなり（たとえば、１５から８）、電気力線の間隔が広がり、電界強度も落ちる。
【００４４】
これに対して、図３（Ｃ）を参照して、正に帯電した長手部材と負に帯電した長手部材とが交互に配置されている場合には、他の電荷が近付くと、図３（Ｄ）に示されるように、電気力線の本数は減少するが、電気力線の間隔は大きく変わらないため、電界強度は維持される。
【００４５】
［マスク４００］
図４およびを参照して、粉塵除去構造１００の一例について説明する。図４は、粉塵除去機能を備えるマスク４００の外観を表す図である。図５は、マスク４００がユーザに装着された状態を表す図である。
【００４６】
図４に示されるように、マスク４００は、フレーム１０１，１０２と、正に帯電可能な複数の長手部材４１０，４１１・・・と、負に帯電可能な複数の長手部材４３０，４３１・・・とを備える。正に帯電可能な長手部材と負に帯電可能な長手部材とは、交互に配置されている。
【００４７】
図１に示される粉塵除去構造１００と同様に、正に帯電可能な複数の長手部材は、たとえば、アクリル素材である。負に帯電可能な複数の長手部材は、たとえば、スチレン素材である。ユーザが、マスク４００の表面をパルプ材（たとえば、ティッシュペーパー）で摩擦すると、アクリル素材はプラスに帯電し、スチレン素材はマイナスに帯電する。
【００４８】
したがって、図５に示されるように、ユーザが、帯電したマスク４００を装着すると、粉塵がマスク４００の表面に引き寄せられるため、口への侵入が抑制される。
【００４９】
［粒子吸着］
ここで、図６を参照して、本実施の形態に係る粉塵除去構造による粒子の吸着について説明する。図６は、粒子の吸着を検証する装置６００の構成を表す図である。
【００５０】
図６（Ａ）に示されるように、装置６００は、筺体としてのアクリルカバー６１０と、カバー扉６２０とを備える。筺体の内部には、粉塵計６３０が配置されている。粉塵計６３０は、採気口６４０を含む。採気口６４０には、実験用のすだれ６５０が配置される。すだれ６５０は、図１に示されるような粉塵除去構造を有する。すなわち、正に帯電可能な長手部材と、負に帯電可能な長手部材とが交互に配置されている。
【００５１】
粉塵計６３０の出力は、データロガー６６０に入力される。データロガー６６０の出力は、周知の構成を有するパーソナルコンピュータ６７０に入力される。
【００５２】
図６（Ｂ）に示されるように、装置６００の正面の下部に設けられた開口部に、煙草６８０が挿入される。煙草６８０の煙は、簾６５０を介して採気口６４０に到達する。粉塵計６３０は、採気口６４０から侵入する粒子の量を検出する。なお、下部から煙草６８０を挿入するのは、カバー扉６２０の開閉を避けるためである。カバー扉６２０が開閉されないと、装置６００の内部の気流が乱れにくくなるため、検出の誤差が小さくなる。
【００５３】
たとえば、ある局面において、粉塵計６３０の出力電圧値が１．０Ｖを下回った時点から、パーソナルコンピュータ６７０は、出力電圧値の監視を１０分間程度行なう。採気口６４０の前に帯電した簾６５０がない状態と、帯電した簾６５０が採気口６４０の前にある状態とで、計測を行ない、粉塵計６３０の出力の相違を確認する。
【００５４】
［実験結果］
図７〜図１１を参照して、装置６００を用いた実験結果について説明する。図７は、粉塵計６３０の採気口６４０の前に実験用の簾６５０を置いた場合に得られたデータを表す図である。
【００５５】
図７（Ａ）に示されるように、１回目の測定結果は、グラフ７１０として示される。図７（Ｂ）に示されるように、２回目の測定結果は、グラフ７２０として示される。図７（Ｃ）に示されるように、３回目の測定結果は、グラフ７３０として示される。図７（Ｄ）に示されるように、４回目測定結果は、グラフ７４０として示される。
【００５６】
図８は、粉塵計６３０の採気口６４０の前に実験用の簾６５０を置かない場合に得られたデータを表す図である。
【００５７】
図８（Ａ）に示されるように、１回目の測定結果は、グラフ８１０として示される。図８（Ｂ）に示されるように、２回目の測定結果は、グラフ８２０として示される。図８（Ｃ）に示されるように、３回目の測定結果は、グラフ８３０として示される。図８（Ｄ）に示されるように、４回目測定結果は、グラフ８４０として示される。
【００５８】
図９は、簾６５０を採気口６４０の前に置いた場合に得られた結果（図７）の平均値を表す図である。図１０は、簾６５０を採気口６４０の前に置かない場合に得られた結果（図８）の平均値を表す図である。図１１は、図９および図１０に示されるグラフを重ねた図である。
【００５９】
図９を参照して、平均値を示すグラフ９００に示されるように、時間１Ｔに至るまでに、電圧値が０．９Ｖ程度から０．４Ｖ程度まで低下している。一方、図１０を参照して、平均値を示すグラフ１０００に示されるように、電圧値は、時刻２Ｔまでは増減を繰り返しながら減少し、その後逓減している。したがって、図１１を参照して、グラフ９００とグラフ１０００との対比からも明らかなように、簾６５０による粒子の吸着の効果が認められる。
【００６０】
＜第２の実施の形態＞
図１２を参照して、第２の実施の形態に係る粉塵除去構造１２００について説明する。図１２は、粉塵除去構造１２００の概観を表す図である。粉塵除去構造１２００は、たとえば、カーテンまたは簾として実現される。
【００６１】
粉塵除去構造１２００は、フレーム１０１，１０２を備える。フレーム１０１とフレーム１０２との間には、正に帯電可能な長手部材１２１０，１２１１，１２１２，１２１３，１２１４，１２１５と、負に帯電可能な長手部材１２２０，１２２１，１２２２，１２２３，１２２４とが、交互に配置されている。
【００６２】
正に帯電可能な長手部材１２１０，１２１１，１２１２，１２１３，１２１４，１２１５は、たとえば、ナイロン素材、あるいは、アクリル素材で構成される。負に帯電可能な長手部材１２２０，１２２１，１２２２，１２２３，１２２４は、塩化ビニール素材、またはポリプロピレン素材で構成される。
【００６３】
＜第３の実施の形態＞
図１３を参照して、第３の実施の形態に係る粉塵除去構造１３００について説明する。図１３は、格子状に構成された粉塵除去構造１３００を表す図である。
【００６４】
ある局面において、粉塵除去構造１３００は、正に帯電可能な複数の長手部材１３１０と、負に帯電可能な複数の長手部材１３２０とを備える。正に帯電可能な複数の長手部材１３１０は、たとえば、ナイロン素材またはアクリル素材によって実現される。負に帯電可能な複数の長手部材１３２０は、たとえば、塩化ビニール素材またはポリプロピレンによって実現される。
【００６５】
＜第４の実施の形態＞
図１４を参照して、第４の実施の形態に係る粉塵除去構造について説明する。図１４は、第４の実施の形態に係る粉塵除去構造を有する粉塵除去セットの概要を表す図である。第４の実施の形態に従うと、粉塵除去構造と、当該粉塵除去構造をふき取るための疎水性の拭き取り素材とを備える粉塵除去セットが提供される。
【００６６】
より具体的には、粉塵除去セットは、粉塵除去構造を有する巻き取り式カーテン１４１０と、ローラ１４２０，１４３０とを備える。ローラ１４２０，１４３０は、粉塵除去構造をふき取るための疎水性の拭き取り素材からなる。ローラ１４２０，１４３０は、それぞれの回転によって、巻き取り式カーテン１４１０を降ろし、あるいは、引き上げる。疎水性の拭き取り素材は、たとえば、パルプ、綿、ポリエステル、ナイロン、アクリルのいずれかで実現される。
【００６７】
図１４（Ａ）に示されるように、巻き取り式カーテン１４１０は、正に帯電可能な長手部材１４１１ａ，１４１１ｂ，１４１１ｃ・・・（以下、長手部材１４１１と総称する。）と、負に帯電可能な長手部材１４１２ａ，１４１２ｂ，１４１２ｃ・・・（以下、長手部材１４１２と総称する。）とを備える。第１の実施の形態の場合と同様に、正に帯電可能な長手部材と、負に帯電可能な長手部材とが交互に配置される。巻き取り式カーテン１４１０は、帯電または除電のためのローラ１４２０，１４３０の間を通るように配置される。ローラ１４２０，１４３０は、その表面の一部が、パルプ材（たとえば、ティッシュペーパー）のような素材で構成されている。
【００６８】
図１４（Ｂ）に示されるように、ある局面において、巻き取り式カーテン１４１０がローラ１４２０，１４３０の間を通過すると、ローラ１４２０，１４３０による摩擦によって、長手部材１４１１は正に帯電し、長手部材１４１２は負に帯電する。このとき、ローラ１４２０，１４３０の表面も帯電する。その結果、巻き取り式カーテン１４１０が降りている間は、長手部材１４１１，１４１２によって粒子が吸着され易くなるので、窓が開いていた場合であっても、粉塵その他の粒子が室内に侵入することが防止される。
【００６９】
その後、図１４（Ｃ）に示されるように、巻き取り式カーテン１４１０が巻き上げられると、ローラ１４２０，１４３０が逆回転する。このとき、正に帯電している長手部材１４１１は負に帯電しているローラ１４２０，１４３０の一部と接触し、除電される。同様に、負に帯電している長手部材１４１２は正に帯電しているローラ１４２０，１４３０の一部と接触し、除電される。
【００７０】
［変形例］
他の局面において、粉塵除去構造を用いて粉塵を除去するための方法が提供され得る。この方法は、正に帯電する複数の第１長手部材の各々と、負に帯電する複数の第２長手部材の各々とを平行に、交互に配置するステップと、各第１長手部材を正に帯電させるステップと、各第２長手部材を負に帯電させるステップとを含む。
【００７１】
他の実施の形態に従う、粉塵を除去するための方法は、正に帯電可能な複数の第１長手部材の各々と、負に帯電可能な複数の第２長手部材の各々とを、網目状に交互に配置するステップと、各第１長手部材を正に帯電させるステップと、各第２長手部材を負に帯電させるステップとを含む。
【００７２】
他の局面において、当該方法は、疎水性の拭き取り素材が表面に設けられた二つのロール部材を配置するステップをさらに備える。各第１長手部材を正に帯電させるステップは、各第１長手部材を二つのロール部材の間に送るステップを含む。各第２長手部材を負に帯電させるステップは、各第２長手部材を二つのロール部材の間に送るステップを含む。
【００７３】
他の局面において、当該方法は、各第１長手部材を正に帯電させるために送る方向とは逆の方向に各第１長手部材を送ることにより、各第１長手部材を除電するステップと、各第２長手部材を負に帯電させるために送る方向とは逆の方向に各第２長手部材を送ることにより、各第２長手部材を除電するステップとをさらに含む。
【００７４】
上記の各ステップは、たとえば、粉塵除去構造の一例である巻き取り式カーテン１４１０を設置するデパートその他の商業施設、医療機関、工場の使用者または粉塵除去構造の設置者またはメンテナンス業者によって行なわれる。
【００７５】
＜まとめ＞
本実施の形態に係る粉塵除去構造によると、繊維質の部材が粉塵除去構造に用いられないため、通気性の低下を抑制しつつ粉塵を除去することができる。また、耐久性あるいは粉塵の除去能力の低下を抑制しつつ粉塵を除去することができる。
【００７６】
本実施の形態に係る粉塵除去構造は、たとえば、マスク、カーテン、ブラインド、ベビーカーのフード、アウトドア用ネット、クリーンルームの入り口等に適用可能である。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１００，１２００，１３００，１４００  粉塵除去構造、１０１，１０２  フレーム、１１０，１１１，１１２，１１３，１１４，１１５，１１６，１１７，１１８，１１９，１２０，１３０，１３１，１３２，１３３，１３４，１３５，１３６，１３７，１３８，１３９，１４０，４１０，４１１，４３０，４３１，１２１０，１２１１，１２１２，１２１３，１２１４，１２１５，１２２０，１２２１，１２２２，１２２３，１２２４，１３１０，１３２０，１４１１，１４１１，１４１２，１４１１ａ，１４１１ｂ，１４１１ｃ，１４１２，１４１２ａ，１４１２ｂ，１４１２ｃ  長手部材、３００  仮想位置、４００  マスク、６００  装置、６１０  アクリルカバー、６２０  カバー扉、６３０  粉塵計、６４０  採気口、６５０  簾、６６０  データロガー、６７０  パーソナルコンピュータ、６８０  煙草、１４１０  巻き取り式カーテン、１４２０，１４３０  ローラ。
【図１】
2015037772.tif 000003
【図２】
2015037772.tif 000004
【図３】
2015037772.tif 000005
【図４】
2015037772.tif 000006
【図５】
2015037772.tif 000007
【図６】
2015037772.tif 000008
【図７】
2015037772.tif 000009
【図８】
2015037772.tif 000010
【図９】
2015037772.tif 000011
【図１０】
2015037772.tif 000012
【図１１】
2015037772.tif 000013
【図１２】
2015037772.tif 000014
【図１３】
2015037772.tif 000015
【図１４】
2015037772.tif 000016